(57)【要約】【課題】所定データが転送された情報表示装置を容易に確認可能とすること。【解決手段】プリントステーション３から情報表示装置４に文書データが転送された場合に、その文書データに対応づけられているユーザ情報を当該情報表示装置４のメイン表示パネル及びサブ表示パネルに表示するようにした。そのため、情報表示装置４のメイン表示パネル及びサブ表示パネルに表示されているユーザ情報を見ることで、文書データが転送された情報表示装置４を容易に確認することができる。【選択図】図１
2007133204.tif 000002
【特許請求の範囲】
【請求項１】
特定のユーザに対応づけられた所定データを取得して転送するデータ転送装置と、その転送された所定データを取得して表示可能な複数の情報表示装置と、を備えたデータ転送システムであって、
前記情報表示装置は、前記データ転送装置によって自装置に前記所定データが転送されると、その転送された前記所定データに対応づけられているユーザに関するユーザ情報を表示するユーザ情報表示手段を備えたことを特徴とするデータ転送システム。
【請求項２】
前記情報表示装置は、自装置に対応づけられているユーザに関する装置対応ユーザ情報を格納する装置対応ユーザ情報格納手段を備え、
前記データ転送装置は、前記所定データを転送可能な前記複数の情報表示装置から前記装置対応ユーザ情報を取得する装置対応ユーザ情報取得手段と、その取得された前記装置対応ユーザ情報と前記所定データに対応づけられているユーザに関するユーザ情報とに基づいて当該所定データの転送先を選出するデータ転送先選出手段と、その選出された転送先に前記所定データを転送するデータ転送実行手段と、を備えたことを特徴とする請求項１に記載のデータ転送システム。
【請求項３】
前記情報表示装置は、前記データ転送装置から転送される前記所定データを取得可能な状態となると、前記装置対応ユーザ情報格納手段に格納されている装置対応ユーザ情報を消去する第１のユーザ情報消去手段を備えたことを特徴とする請求項２に記載のデータ転送システム。
【請求項４】
前記情報表示装置は、ユーザの操作により前記装置対応ユーザ情報格納手段に格納されている装置対応ユーザ情報を消去する第２のユーザ情報消去手段を備えたことを特徴とする請求項２又は３に記載のデータ転送システム。
【請求項５】
前記情報表示装置は、前記取得された所定データの表示要求があると、その所定データを表示するための表示体の一部に前記ユーザ情報を表示する第２のユーザ情報表示手段を備えたことを特徴とする請求項１から４のいずれか１項に記載のデータ転送システム。
【請求項６】
前記情報表示装置は、自装置への最後の操作入力が行われてから所定時間経過後に前記ユーザ情報を表示する第３のユーザ情報表示手段を備えたことを特徴とする請求項１から５のいずれか１項に記載のデータ転送システム。
【請求項７】
特定のユーザに対応づけられた所定データを取得して転送するデータ転送装置と、その転送された所定データを取得して表示可能な複数の情報表示装置と、を備えたデータ転送システムにおけるデータ転送装置であって、
前記所定データを転送可能な前記複数の情報表示装置から当該情報表示装置に対応づけられているユーザに関する装置対応ユーザ情報を取得する装置対応ユーザ情報取得手段と、その取得された前記装置対応ユーザ情報と前記所定データに対応づけられているユーザに関するユーザ情報とに基づいて当該所定データの転送先を選出するデータ転送先選出手段と、その選出された転送先に前記所定データを転送するデータ転送実行手段と、を備えたことを特徴とするデータ転送装置。
【請求項８】
特定のユーザに対応づけられた所定データを取得して転送するデータ転送装置と、その転送された所定データを取得して表示可能な複数の情報表示装置と、を備えたデータ転送システムにおける情報表示装置であって、
前記データ転送装置によって自装置に前記所定データが転送されると、その転送された前記所定データに対応づけられているユーザに関するユーザ情報を表示するユーザ情報表示手段を備えたことを特徴とする情報表示装置。
【発明の詳細な説明】
【技術分野】
【０００１】
本発明は、データ転送装置及び情報表示装置を備えたデータ転送システム、そのデータ転送システムに好適なデータ転送装置及び情報表示装置に関する。
【背景技術】
【０００２】
従来、例えば、職場等で複数のコンピュータからなるコンピュータネットワークに接続され、それら複数のコンピュータそれぞれから送信される印刷データを取得してコピー用紙に印刷するプリントステーションがある（例えば、特許文献１参照）。
このようなプリントステーションとしては、例えば、印刷物（コピー用紙）を受ける排紙トレーを複数備え、印刷物をそれぞれ異なる排紙トレーで受けるものがある。
【０００３】
また、例えば、コンピュータで生成された所定のデータを取得して、ユーザ操作による任意のタイミングで表示体に前記データを表示可能な情報表示装置がある。
【特許文献１】特開平１０―１９０９３０号公報
【発明の開示】
【発明が解決しようとする課題】
【０００４】
ところで、上記従来技術を組み合わせ、排紙トレーに代えて、複数の情報表示装置をプリントステーションに備え、複数のコンピュータそれぞれから送信される所定のデータを取得し、それらデータをそれぞれ異なる情報表示装置に転送することも考えられる。
しかしながら、このようなプリントステーションにあっては、情報表示装置へはデータが転送されるだけであり、例えば、印刷物が排紙される場合と異なり、どの情報表示装置にデータが転送されたのかは外観から判断することができないため、データ転送後、各情報表示装置それぞれに転送データを表示させて確認する手間が必要となってしまう。
【０００５】
本発明は、上記従来技術の未解決の課題を解決することを目的とするものであって、所定データが転送された情報表示装置を容易に確認可能なデータ転送装置、そのデータ転送システムに好適なデータ転送装置及び情報表示装置を提供することを課題とする。
【課題を解決するための手段】
【０００６】
上記課題を解決するために、本発明のデータ転送システムは、特定のユーザに対応づけられた所定データを取得して転送するデータ転送装置と、その転送された所定データを取得して表示可能な複数の情報表示装置と、を備えたデータ転送システムであって、前記情報表示装置は、前記データ転送装置によって自装置に前記所定データが転送されると、その転送された前記所定データに対応づけられているユーザに関するユーザ情報を表示するユーザ情報表示手段を備えたことを特徴とする。
【０００７】
また、前記情報表示装置は、自装置に対応づけられているユーザに関する装置対応ユーザ情報を格納する装置対応ユーザ情報格納手段を備え、前記データ転送装置は、前記所定データを転送可能な前記複数の情報表示装置から前記装置対応ユーザ情報を取得する装置対応ユーザ情報取得手段と、その取得された前記装置対応ユーザ情報と前記所定データに対応づけられているユーザに関するユーザ情報とに基づいて当該所定データの転送先を選出するデータ転送先選出手段と、その選出された転送先に前記所定データを転送するデータ転送実行手段と、を備えたことを特徴とする。
【０００８】
さらに、前記情報表示装置は、前記データ転送装置から転送される前記所定データを取得可能な状態となると、前記装置対応ユーザ情報格納手段に格納されている装置対応ユーザ情報を消去する第１のユーザ情報消去手段を備えたことを特徴とする。
また、前記情報表示装置は、ユーザの操作により前記装置対応ユーザ情報格納手段に格納されている装置対応ユーザ情報を消去する第２のユーザ情報消去手段を備えたことを特徴とする
さらに、前記情報表示装置は、前記取得された所定データの表示要求があると、その所定データを表示するための表示体の一部に前記ユーザ情報を表示する第２のユーザ情報表示手段を備えたことを特徴とする。
【０００９】
また、前記情報表示装置は、自装置への最後の操作入力が行われてから所定時間経過後に前記ユーザ情報を表示する第３のユーザ情報表示手段を備えたことを特徴とする。
さらに、本発明のデータ転送装置は、特定のユーザに対応づけられた所定データを取得して転送するデータ転送装置と、その転送された所定データを取得して表示可能な複数の情報表示装置と、を備えたデータ転送システムにおけるデータ転送装置であって、前記所定データを転送可能な前記複数の情報表示装置から当該情報表示装置に対応づけられているユーザに関する装置対応ユーザ情報を取得する装置対応ユーザ情報取得手段と、その取得された前記装置対応ユーザ情報と前記所定データに対応づけられているユーザに関するユーザ情報とに基づいて当該所定データの転送先を選出するデータ転送先選出手段と、その選出された転送先に前記所定データを転送するデータ転送実行手段と、を備えたことを特徴とする。
【００１０】
また、本発明の情報表示装置は、特定のユーザに対応づけられた所定データを取得して転送するデータ転送装置と、その転送された所定データを取得して表示可能な複数の情報表示装置と、を備えたデータ転送システムにおける情報表示装置であって、前記データ転送装置によって自装置に前記所定データが転送されると、その転送された前記所定データに対応づけられているユーザに関するユーザ情報を表示するユーザ情報表示手段を備えたことを特徴とする。
このような構成によれば、情報表示装置に表示されているユーザ情報を見ることで、転送装置から所定データが転送された情報表示装置を容易に確認することができる。
【発明を実施するための最良の形態】
【００１１】
以下、本発明のデータ転送システムの一実施形態を図面に基づいて説明する。
このデータ転送システムは、表示対象となるコンテンツの印刷データ（文書データ）を生成して送信する複数のパーソナルコンピュータ、前記送信された文書データを取得して転送するプリントステーション、及び前記転送された文書データを格納し、ユーザの操作により前記格納された文書データを表示する複数の情報表示装置を含んで構成される。
なお、本実施形態では、文書データをプリントステーション経由で情報表示装置に送信してストレージに格納させる動作をパーソナルコンピュータのプリンタドライバの機能を用いて行うため、前記文書データを送信等させる動作を「印刷」とも呼ぶこととする。
【００１２】
＜データ転送システムの構成＞
図１は、本発明を適用したデータ転送システム１の外観を示す斜視図である。また、図２は、そのデータ転送システム１を構成するパーソナルコンピュータ２の内部構成を示すブロック図であり、図３は、プリントステーション３の内部構成を示すブロック図であり、図４は、情報表示装置４の内部構成を示すブロック図である。
【００１３】
＜パーソナルコンピュータの構成＞
パーソナルコンピュータ２は、図２に示すように、入力機器１０、指紋検出装置２０、記憶装置３０、プログラムＲＯＭ／ＲＡＭ（Read Only Memory / Random Access Memory）４０、ＣＰＵ（Central Processing Unit）５０、表示駆動部６０、ディスプレイ７０及びコンピュータネットワークインタフェース装置８０を含んで構成される。
【００１４】
入力機器１０は、キーボードやマウス等の入力装置によって構成され、ユーザが指示操作を行うと当該指示操作に応じた信号（指示信号）をＣＰＵ５０に出力する。
指紋検出装置２０は、ユーザの指が押し当てられると当該指の指紋の特徴部を検出し、その検出結果を示す信号（指紋信号）をＣＰＵ５０に出力する。
記憶装置３０は、不揮発性のメモリ（電源を切断しても保持データが維持されるメモリ）によって構成され、パーソナルコンピュータ２の各部を制御するための各種プログラム、及び複数のコンテンツのデータ（印刷対象データ）を格納する。
【００１５】
プログラムＲＯＭ／ＲＡＭ４０は、ＣＰＵ５０による各種処理の実行時に、ワークエリアを形成するとともに、当該処理の処理結果を格納する。
ＣＰＵ５０は、入力機器１０から出力される指示信号に従って、記憶装置３０に格納されているプログラムを読み出して各種処理を実行する。そして、ＣＰＵ５０は、記憶装置３０に格納されている印刷対象データをプリントステーション３独自のコマンド列（文書データ）に変換し、図５に示すように、その文書データ、ユーザ情報（ユーザ名、認証情報）、文書情報（文書名、文書データサイズ、印刷日時）及び排出先（文書データの転送先）を含めて印刷データを生成し、その印刷データをコンピュータネットワークインタフェース装置８０を介してプリントステーション３に送信する。また、ＣＰＵ５０は、各種処理の処理結果をプログラムＲＯＭ／ＲＡＭ４０に格納する。
【００１６】
なお、コマンド列、ユーザ情報、文書情報等、印刷データを構成する情報の記述方法としては、従来のプリントステーションのプリンタコマンド解析部が誤って処理を行わないようなコマンド記述法（前記コマンド解析部によってスキップされるコマンド（未知のコマンド、エラーコマンド）記述法）を用いるとよい。また、前記コマンド解析部を複数用意し、それら複数のコマンド解析部それぞれにコマンドを解析させ、最もコマンドエラーの少なかったコマンド解析部を採用するようにしてもよい。
【００１７】
表示駆動部６０は、ＣＰＵ５０による各種処理の実行時に、当該処理の処理結果が表示されるようにディスプレイ７０を駆動する。
ディスプレイ７０は、表示駆動部６０で駆動されて各種情報を表示画面に表示する。
コンピュータネットワークインタフェース装置８０は、プリントステーション３とＴＣＰ／ＩＰ等の通信プロトコルで接続され、所定のＩＤによって１対１のデータ通信を行い、ＣＰＵ５０で生成される文書データを情報表示装置４に送信する。
【００１８】
＜パーソナルコンピュータの機能部＞
また、図２において、一般アプリケーション１００、印刷制御部１１０、データ生成部１２０及びデータ転送部１３０は、プログラムＲＯＭ／ＲＡＭ４０及びＣＰＵ５０によって実現される機能部である。
【００１９】
一般アプリケーション１００は、ワープロソフト等のアプリケーションプログラムであり、ユーザによって印刷の指示操作が行われると、図６に示すように、その指示操作に対応する印刷対象データの印刷要求を印刷制御部１１０に出力する。
また、一般アプリケーション１００は、印刷設定（例えば、印刷データの転送先の設定）を行わせる印刷ダイアログの表示を要求する印刷設定要求が印刷制御部１１０から出力されると、図７に示すように、印刷ダイアログをディスプレイ７０に表示させる。
【００２０】
さらに、一般アプリケーション１００は、その印刷ダイアログで印刷設定が行われると、その印刷設定の結果及び印刷対象データの描画コマンド（印刷指示）をオペレーティングシステム経由で印刷制御部１１０に出力する。
描画コマンドとしては、座標及びスタイル付きでテキスト描画を指示する命令、座標及びスタイル付きで線描画を指示する命令、プリンタと同じ解像度をもつ座標系においてドット単位でピクセルペイントを指示する命令等を挙げることができる。
【００２１】
印刷制御部１１０は、プリンタドライバであり、一般アプリケーション１００から印刷要求が出力されると印刷設定要求を一般アプリケーション１００に出力する。
また、印刷制御部１１０は、一般アプリケーション１００から印刷設定の結果、文書キー及び印刷指示が出力されると、それら印刷設定の結果、文書キー及び印刷指示に基づいて文書データを生成させる印刷データ生成要求をデータ生成部１２０に出力する。
【００２２】
さらに、印刷制御部１１０は、データ生成部１２０から印刷データが出力されると、その印刷データをデータ転送部１４０に出力する。
データ生成部１２０は、印刷制御部１１０から印刷データ生成要求が出力されると、印刷指示（描画コマンド）を蓄積して印刷対象データの文書データを生成し、その文書データを含むように印刷データを生成して印刷制御部１１０に出力する。
データ転送部１４０では、印刷制御部１１０から印刷データが出力されると、その印刷データをコンピュータネットワークインタフェース装置８０に送信する。
【００２３】
＜プリントステーションの構成＞
一方、プリントステーション３は、図３に示すように、指紋検出装置２００、タッチパネル２１０、コンピュータネットワークインタフェース装置２２０、記憶装置２３０、プログラムＲＯＭ／ＲＡＭ２４０、ＣＰＵ２５０、表示駆動部２６０、表示パネル２７０、印刷装置２８０及びインタフェース装置２９０を含んで構成される。
【００２４】
指紋検出装置２００は、ユーザの指が押し当てられると当該指の指紋の特徴部を検出し、その検出結果を示す信号（指紋信号）をＣＰＵ２５０に出力する。
タッチパネル２１０は、表示パネル２７０の表示面側に重ねて配され、ユーザが触れるとその触れた位置を示す信号をＣＰＵ２５０に出力する。
コンピュータネットワークインタフェース装置２２０は、パーソナルコンピュータ２とＴＣＰ／ＩＰ等の通信プロトコルで接続され、パーソナルコンピュータ２から送信される印刷データをプログラムＲＯＭ／ＲＡＭ２４０に格納させる。
【００２５】
記憶装置２３０は、ハードディスクドライブによって構成され、予め定められたユーザ毎に領域（メールボックス）が区切られている。そして、各メールボックスは、それぞれ対応するユーザの指紋特徴データやパスワードを格納する。なお、メールボックス内のデータへのアクセス時には、指紋認証（指紋検出装置２００から出力される指紋信号によって行われる認証）やパスワード認証（表示パネル２７０に表示させた仮想的なキーボードや実際のキーボードによって行われる認証）が要求される。
【００２６】
プログラムＲＯＭ／ＲＡＭ２４０は、プリントステーション３の各部を制御するための各種プログラムを格納する。また、プログラムＲＯＭ／ＲＡＭ２４０は、パーソナルコンピュータ２から送信される印刷データを格納する。
ＣＰＵ２５０は、ユーザによって入力される指示信号に従って、プログラムＲＯＭ／ＲＡＭ２４０に格納されているプログラムを読み出して各種処理を実行する。そして、ＣＰＵ２５０は、プログラムＲＯＭ／ＲＡＭ２４０に格納されている印刷データの文書データを当該印刷データに予め設定されている排出先（ポート）又はユーザ情報が設定されていない情報表示装置４が接続されているポートに送信する。
【００２７】
表示駆動部２６０は、ＣＰＵ２５０による各種処理の実行時に、当該処理の処理結果が表示されるようにディスプレイ７０を駆動する。
表示パネル２７０は、表示駆動部２６０で駆動されて各種情報を表示画面に表示する。
印刷装置２８０は、従来のレーザプリンタのハードウェアエンジンであり、情報表示装置４に代えて、コピー用紙への印刷要求があったときに用いられる。
インタフェース装置２９０は、複数のポートを有するＵＳＢ(Universal Serial Bus)のデバイスコントローラであり、それらポートそれぞれが情報表示装置４と接続され、ＣＰＵ２５０で生成される文書データを任意の情報表示装置４に転送する。
【００２８】
＜プリントステーションの機能部＞
また、図３に示すように、解析・配置部３００、印刷先管理部３１０及び通信管理部３２０によって実現される機能部である。
解析・配置部３００は、図８に示すように、プログラムＲＯＭ／ＲＡＭ２４０に格納されている印刷データを先頭から解析して文書データ、ユーザ情報及び排出先を抽出し、それらをプログラムＲＯＭ／ＲＡＭ２４０に展開する。また、解析・配置部３００は、その展開された文書データの印刷要求を印刷先管理部３１０に出力する。
【００２９】
印刷先管理部３１０は、解析・配置部３００から印刷要求が出力されると、その印刷要求に対応する文書データに設定されている排出先をプログラムＲＯＭ／ＲＡＭ２４０から読み出し、また、インタフェース装置２９０に接続されている情報表示装置４からユーザ情報及び空き領域の情報を取得し、図９に示すように、ユーザ情報テーブルを生成する。また、印刷先管理部３１０は、それら排出先とユーザ情報テーブルとに基づいて文書データの転送先を設定し、前記文書データの通信要求を通信管理部３２０に出力する。
【００３０】
なお、ユーザ情報テーブルは、排出先ポート番号（情報表示装置４が接続されているポートの番号）、ユーザ情報、空き領域の情報を含んで構成される。
通信管理部３２０は、印刷先管理部３１０から通信要求があると、印刷先管理部３１０で設定された転送先を読み出し、解析・配置部３００からユーザ情報及び文書データを読み出し、それらユーザ情報及び文書データを前記転送先に転送する。
【００３１】
＜ＣＰＵの動作＞
次に、ＣＰＵ２５０で実行される転送先設定処理（文書データの転送先を設定する処理）を図１０のフローチャートに基づいて説明する。この転送先設定処理は、まず、そのステップＳ１で、プログラムＲＯＭ／ＲＡＭ２４０に格納されている印刷データに排出先が含まれているか否かを判定する。
【００３２】
次にステップＳ２に移行して、前記ステップＳ１で前記印刷データに排出先が含まれていると判定された場合には（Ｙｅｓ）ステップＳ３に移行し、含まれていないと判定された場合には（Ｎｏ）Ｓ６に移行する。
前記ステップＳ３では、まず、プログラムＲＯＭ／ＲＡＭ２４０に格納されている印刷データから排出先（排出先ポート番号）を抽出し、その排出先ポート番号に対応づけられているユーザ情報をユーザ情報テーブルから読み出す。そして、そのユーザ情報と前記印刷データに含まれているユーザ情報とが一致するか否かを判定する。
【００３３】
次にステップＳ４に移行して、前記ステップＳ３で前記ユーザ情報テーブルから読み出されたユーザ情報と前記印刷データに含まれているユーザ情報とが一致すると判定された場合には（Ｙｅｓ）ステップＳ５に移行し、一致しないと判定された場合には（Ｎｏ）ステップＳ６に移行する。
前記ステップＳ５では、プログラムＲＯＭ／ＲＡＭ２４０に格納されている印刷データに含まれている排出先を文書データの送出先に設定してから、この演算処理を終了する。
【００３４】
一方、前記ステップＳ６では、ユーザ情報テーブルを参照し、ユーザ情報が設定されていないポートがあるか否かを判定する。
次にステップＳ７に移行して、前記ステップＳ６でユーザ情報が設定されていないポートがあると判定された場合には（Ｙｅｓ）ステップＳ８に移行し、ないと判定された場合には（Ｎｏ）ステップＳ９に移行する。
【００３５】
前記ステップＳ８では、前記ステップＳ６でユーザ情報が設定されていないと判定されたポートを文書データの送出先に設定してから、この演算処理を終了する。
一方、前記ステップＳ９では、ユーザ情報が設定されていない情報表示装置４をプリントステーションの任意のポートにセットさせる指示を表示パネル２７０に表示させる指令を表示駆動部２６０に出力する。
次にステップＳ１０に移行して、再度印刷の要求があるか否かを判定する。再度印刷の要求がある場合には（Ｙｅｓ）前記ステップＳ１に移行し、再度印刷の要求がない場合には（Ｎｏ）この演算処理を終了する。
【００３６】
＜情報表示装置の構成＞
一方、情報表示装置４は、図４に示すように、インタフェース装置４００、ストレージ４１０、プログラムＲＯＭ／ＲＡＭ４２０、ＣＰＵ４３０、ＮＶＲＡＭ４４０、アクセラレータ回路４５０、表示駆動部４６０、メイン表示パネル４７０、サブ表示制御部４８０、サブ表示パネル４９０及び電源制御５００を含んで構成される。
【００３７】
インタフェース装置４００は、プリントステーション３と接続され、プリントステーション３から送信される文書データをストレージ４１０に格納させる。
ストレージ４１０は、フラッシュメモリ等の不揮発性のメモリによって構成され、プリントステーション３から送信される文書データを格納する。
プログラムＲＯＭ／ＲＡＭ４２０は、不揮発性のメモリによって構成され、情報表示装置４の各部を制御するための各種プログラムを格納する。
【００３８】
ＣＰＵ４３０は、ユーザによって入力される指示信号に従って、プログラムＲＯＭ／ＲＡＭ４２０に格納されているプログラムを読み出して各種処理を実行する。そして、ＣＰＵ４３０は、ストレージ４１０に格納されている文書データをメイン表示パネル４７０に描画させる指令をアクセラレータ回路４５０に出力する。また、ＣＰＵ４３０は、各種処理の処理結果をＮＶＲＡＭ４４０に格納する。
【００３９】
ＮＶＲＡＭ４４０は、ＦＲＡＭ（Ferroelectric Random Access Memory）、ＭＲＡＭ（Magnetoresistive Random Access Memory）、ｎｖＳＲＡＭ（non-volatile Static Random Access Memory）等の不揮発性メモリで構成され、ＣＰＵ４３０による各種処理の実行時に、ワークエリアを形成するとともに、当該処理の処理結果（例えば、ユーザ情報）を格納する。
【００４０】
アクセラレータ回路４５０は、ＣＰＵ４３０の命令に従って、メイン表示パネル４７０に描画する画像の描画処理を行う。そして、アクセラレータ回路４５０は、その描画処理の処理結果である描画データを表示駆動部４６０に出力する。
表示駆動部４６０は、メイン表示パネル４７０を制御し、アクセラレータ回路４５０から出力される描画データをメイン表示パネル４７０に描画する。具体的には、表示駆動部４６０は、アクセラレータ回路４５０から描画データが入力される画素書込部４６０ａを備える。そして、表示駆動部４６０は、画素書込部４６０ａに入力された描画データを参照して、メイン表示パネル４７０のＸドライバ及びＹドライバを駆動することにより、前記入力された描画データをメイン表示パネル４７０に描画する。
【００４１】
メイン表示パネル４７０は、Ａ４サイズの高画素密度の記憶性表示装置（電源を切断しても表示内容が維持される表示装置）で構成される。そして、メイン表示パネル４７０は、表示駆動部４６０の制御に応じて、所定画素に画素データを表示する。なお、メイン表示パネル４７０としては、例えば、電気泳動ディスプレイ、コレステリック液晶ディスプレイ、或いはエレクトロデポジションディスプレイ等を採用することができる。
【００４２】
サブ表示制御部４８０は、サブ表示パネル４９０を制御し、アクセラレータ回路４５０から出力される描画データをサブ表示パネル４９０に描画する。具体的には、サブ表示制御部４８０は、アクセラレータ回路４５０から入力される描画データを参照して、サブ表示パネル４９０のＸドライバ及びＹドライバを駆動する。
サブ表示パネル４９０は、液晶表示装置で構成される。そして、サブ表示パネル４９０は、サブ表示制御部４８０の制御に応じて所定画素に画素データを表示する。
電源制御５００は、一次電池或いは二次電池によって構成される。そして、電源制御５００は、情報表示装置４全体に各部を適切に動作させるための電力を供給する。
【００４３】
＜情報表示装置の機能部＞
また、通信管理部６００、ユーザ管理部６１０及び解析・整形部６２０は、ＣＰＵ４３０及びプログラムＲＯＭ／ＲＡＭ４２０によって実現される機能部である。
通信管理部６００は、図１１に示すように、プリントステーション３からユーザ情報が送信されると、ユーザ情報及びユーザ情報取得通知をユーザ管理部６１０に出力する。
また、通信管理部６００は、ユーザ管理部６１０から終了通知及び文書データ取得終了通知依頼が出力されると、プリントステーション３に終了通知を送信する。
さらに、通信管理部６００は、プリントステーション３から文書データが送信されると、その文書データをストレージ４１０に格納させるとともに、プリントステーション３に終了通知を出力し、文書データ取得終了通知をユーザ管理部６１０に出力する。
【００４４】
ユーザ管理部６１０は、通信管理部６００からユーザ情報及びユーザ情報取得通知が出力されると、そのユーザ情報をＮＶＲＡＭ４４０に格納させるとともに、終了通知及び文書データ取得終了通知依頼を通信管理部６００に出力する。
また、ユーザ管理部６１０は、通信管理部６００から文書データ取得終了通知が出力されると、ユーザ名ページ表示依頼を解析・整形部６２０に出力する。
【００４５】
さらに、ユーザ管理部６１０は、解析・整形部６２０から表示終了通知が出力されると、ユーザ名ページ表示依頼（ＮＶＲＡＭ４４０に格納されているユーザ情報（ユーザ名）をサブ表示パネル４９０に描画させる指令）をアクセラレータ回路４５０に出力し、表示終了通知をユーザ管理部６１０に出力する。
解析・整形部６２０は、ユーザ名ページ表示依頼が出力されると、ＮＶＲＡＭ４４０に格納されているユーザ情報をメイン表示パネル４７０全面に描画させる指令をアクセラレータ回路４５０に出力し、表示終了通知をユーザ管理部６１０に出力する。
【００４６】
＜情報表示装置の具体的動作＞
次に、本実施形態の情報表示装置の動作を具体的状況に基づいて詳細に説明する。
まず、パーソナルコンピュータ２でコンテンツの印刷データが生成され、その生成された印刷データがプリントステーション３に送信されてプリントステーション３のプログラムＲＯＭ／ＲＡＭ２４０に格納されたとする。すると、プリントステーション３の解析・配置部３００によって、図８に示すように、その格納された印刷データから文書データ、ユーザ情報及び排出先が抽出され、それらがプログラムＲＯＭ／ＲＡＭ２４０に展開され、その展開された文書データの印刷要求が印刷先管理部３１０に出力される。
【００４７】
また、印刷先管理部３１０によって、その出力された印刷要求に対応する文書データに設定されている排出先がプログラムＲＯＭ／ＲＡＭ２４０から読み出され、インタフェース装置２９０に接続されている情報表示装置４からユーザ情報及び空き領域の情報が取得され、図９に示すように、ユーザ情報テーブルが生成される。さらに、印刷先管理部３１０によって、それら排出先とユーザ情報テーブルとに基づいて文書データの転送先が設定され、その文書データを転送する通信要求が通信管理部３２０に出力される。
【００４８】
そして、通信管理部３２０によって、その設定された転送先が印刷先管理部３１０から読み出されるとともに、解析・配置部３００からユーザ情報及び文書データが読み出され、それらユーザ情報及び文書データが前記転送先（情報表示装置４）に転送される。
また、情報表示装置４の通信管理部６００によって、図１１に示すように、その転送されたユーザ情報及びユーザ情報取得通知がユーザ管理部６１０に出力される。
【００４９】
さらに、ユーザ管理部６１０によって、そのユーザ情報がＮＶＲＡＭ４４０に格納され、終了通知及び文書データ取得終了通知依頼が通信管理部６００に出力され、通信管理部６００によって、プリントステーション３に終了通知が送信される。
また、通信管理部６００によって、前記プリントステーション３から転送された文書データがストレージ４１０に格納されるとともに、プリントステーション３に終了通知が出力され、文書データ取得終了通知がユーザ管理部６１０に出力され、ユーザ管理部６１０によって、ユーザ名ページ表示依頼が解析・整形部６２０に出力される。
【００５０】
さらに、解析・整形部６２０によって、ＮＶＲＡＭ４４０に格納されているユーザ情報（ユーザ名）をメイン表示パネル４７０に描画させる指令がアクセラレータ回路４５０に出力され、表示終了通知をユーザ管理部６１０に出力される。すると、アクセラレータ回路４５０によって、その指令に従って画像の描画処理が行われ、その処理結果である描画データが表示駆動部４６０に出力され、表示駆動部４６０によって、その描画データが参照され、図１２に示すように、ユーザ名がメイン表示パネル４７０に表示される。
【００５１】
また、ユーザ管理部６１０によって、ユーザ名ページ表示依頼がアクセラレータ回路４５０に出力され、表示終了通知がユーザ管理部６１０に出力される。すると、アクセラレータ回路４５０によって、その依頼に従って描画処理が行われ、その処理結果（描画データ）がサブ表示駆動部４８０に出力され、サブ表示駆動部４８０によって、その描画データが参照され、図１３に示すように、ユーザ名がサブ表示パネル４９０に表示される。
【００５２】
このように、本実施形態のデータ転送システム１にあっては、情報表示装置４を、プリントステーション３によって自装置に文書データが転送されると、その転送された文書データに対応づけられているユーザ情報を表示するようにした。そのため、情報表示装置４のメイン表示パネル４７０及びサブ表示パネル４８０に表示されているユーザ情報を見ることで、文書データが転送された情報表示装置４を容易に確認することができる。
【００５３】
以上、上記実施形態では、図１及び図３のプリントステーション３が特許請求の範囲に記載のデータ転送装置を構成し、以下同様に、図４のメイン表示パネル４７０、サブ表示パネル４９０、図４及び図１１のユーザ管理部６１０、解析整形部６２０、アクセラレータ回路４８０がユーザ情報表示手段を構成し、図４のＮＶＲＡＭ４４０が装置対応ユーザ情報格納手段を構成し、図１０のステップＳ２が装置対応ユーザ情報取得手段を構成し、図１０のステップＳ３、Ｓ４、Ｓ６、Ｓ７がデータ転送差選出手段を構成し、図１０のステップＳ５、Ｓ８がデータ転送実行手段を構成する。
【００５４】
なお、本発明のデータ転送システム、データ転送装置及び情報表示装置は、上記実施の形態に限定されるものではなく、本発明の趣旨を逸脱しない範囲で適宜変更可能である。
上記実施形態では、情報表示装置４への文書データの転送の完了後にユーザ名を表示する例を示したが、これに限られるものではない。例えば、図１４に示すように、情報表示装置４への最後の操作入力が行われてから所定時間経過後にもユーザ名を表示してよい。
【００５５】
具体的には、解析・整形部６２０は、メイン表示パネル４７０にコンテンツを表示する通常レイアウト・表示処理を行うと、表示終了通知を電源制御５００に出力する。
また、電源制御５００は、解析・整形部６２０から表示終了通知が出力されると、情報表示装置４の各部の電源を遮断し、ユーザインタフェースイベントを監視する。そして、電源制御５００は、ユーザインタフェースイベントがタイムアウトすると（情報表示装置４への操作入力が行われないままに所定時間（例えば、５min.）が経過後すると）、再度電源を投入し、ユーザ名ページ表示依頼を解析・整形部４４０に出力する。
【００５６】
さらに、ユーザ情報をメイン表示パネル４７０の全面に表示させる例を示したが、これに限られるものではない。例えば、文書データの表示要求があった後は、メイン表示パネル４７０の一部に前記文書データとともに前記ユーザ情報を表示してもよい。
また、例えば、情報表示装置４がプリントステーション３に接続された後、ホスト情報の認証が行われたとき（プリントステーション３から転送される文書データを取得可能となったとき）、又はユーザが情報表示装置４のメニューから「返却」を選択したときに情報表示装置４に格納されているユーザ情報を消去するようにしてもよい。
【図面の簡単な説明】
【００５７】
【図１】本発明を適用したデータ転送システムの外観を示す斜視図である。
【図２】図１のパーソナルコンピュータの内部構成を示すブロック図である。
【図３】図１のプリントステーションの内部構成を示すブロック図である。
【図４】図１の情報表示装置の内部構成を示すブロック図である。
【図５】印刷データを説明するための説明図である。
【図６】パーソナルコンピュータの機能構成を説明するための説明図である。
【図７】印刷ダイアログを説明するための説明図である。
【図８】プリントステーションの機能構成を説明するための説明図である。
【図９】ユーザテーブルを説明するための説明図である。
【図１０】転送先設定処理を示すフローチャートである。
【図１１】情報表示装置の機能構成を説明するための説明図である。
【図１２】情報表示装置の動作を説明するための説明図である。
【図１３】情報表示装置の動作を説明するための説明図である。
【図１４】本発明の変形例を説明するための説明図である。
【符号の説明】
【００５８】
１はデータ転送システム、２はパーソナルコンピュータ、３はプリントステーション、４は情報表示装置、１０は入力機器、２０は指紋検出装置、３０は記憶装置、４０はプログラムＲＡＭ／ＲＯＭ、５０はＣＰＵ、６０は表示駆動部、７０はディスプレイ、８０はコンピュータネットワークインタフェース装置、１００は一般アプリケーション、１１０は印刷制御部、１２０はデータ生成部、１３０はデータ転送部、１４０はデータ転送部、２００は指紋検出装置、２１０はタッチパネル、２２０はコンピュータネットワークインタフェース装置、２３０は記憶装置、２４０はプログラムＲＯＭ／ＲＡＭ、２５０はＣＰＵ
２６０は表示駆動部、２７０は表示パネル、２８０は印刷装置、２９０はインタフェース装置、３００は解析・配置部、３１０は印刷先管理部、３２０は通信管理部、４００はインタフェース装置、４１０はストレージ、４２０プログラムＲＡＭ／ＲＯＭ、４３０はＣＰＵ、４４０は解析・整形部、４５０はアクセラレータ回路、４６０ａは画素書込部
４６０は表示駆動部、４７０はメイン表示パネル、４８０はサブ表示制御部、４９０はサブ表示パネル、５００は電源制御、６００は通信管理部、６１０はユーザ管理部、６２０は解析・整形部
【図１】
2007133204.tif 000003
【図２】
2007133204.tif 000004
【図３】
2007133204.tif 000005
【図４】
2007133204.tif 000006
【図５】
2007133204.tif 000007
【図６】
2007133204.tif 000008
【図７】
2007133204.tif 000009
【図８】
2007133204.tif 000010
【図９】
2007133204.tif 000011
【図１０】
2007133204.tif 000012
【図１１】
2007133204.tif 000013
【図１２】
2007133204.tif 000014
【図１３】
2007133204.tif 000015
【図１４】
2007133204.tif 000016